(57)【特許請求の範囲】
【請求項１】
内容液を収容した容器本体と、該容器本体の口部に装着されるキャップ体と、を備えており、
該キャップ体が、前記口部内に連通する開口が形成された天壁部と、該天壁部から垂下されて前記口部の外側に周設された外筒部と、前記開口の上方に配設された頭部と、該頭部の下端に連設されて該頭部を前記容器本体に対して相対的に動かすことで切断可能な弱化部と、を有するアンプル容器において、
前記キャップ体には、前記天壁部の下面から前記外筒部の中心軸線に沿って垂下されて前記開口に連通された内筒部が備えられ、
該内筒部は、外周面の少なくとも一部が前記容器本体の内側面から内筒部径方向に離間された状態で前記口部の内側に配置され、
前記キャップ体には、前記中心軸線に垂直な平面視における前記内筒部の内側に配設された遮壁部が備えられ、
前記内筒部は周方向に複数に分割され、該内筒部を構成する複数の分割片は間隔をおいて環状に並設されており、
前記遮壁部は、隣り合う前記分割片間の隙間の上方の位置に配設されていることを特徴とするアンプル容器。
【請求項２】
請求項１記載のアンプル容器において、
前記遮壁部は、前記内筒部の内周面に突設されており、上方からの押圧に対して基端を固定端にして前記中心軸線方向に撓み変形可能であることを特徴とするアンプル容器。
【発明の詳細な説明】
【技術分野】
【０００１】
本発明は、アンプル容器に関する。
【背景技術】
【０００２】
飲料水や薬剤、肥料等の内溶液を収容するアンプル容器として、従来、例えば特許文献１に示されているような、内溶液が収容されたアンプル瓶本体部（容器本体）と、アンプル瓶本体部の口部の開口端の上方に起立されてアンプル瓶本体部を密封する把手部（頭部）と、把手部の下端と口部の上端との間に介在された頸部（弱化部）と、を備えた構成が知られている。このアンプル容器では、把手部をアンプル瓶本体部に対して相対的に折り曲げることで頸部が切断され、アンプル瓶本体部が開封される。
【０００３】
また、アンプル容器として、従来、例えば特許文献２に示されているような、アンプル本体（容器本体）と、アンプル本体の口部に装着される栓部（キャップ体）と、が備えられ、前記栓部にねじ切り頭部（頭部）及び薄肉部（弱化部）がそれぞれ形成された構成も知られている。つまり、容器本体と頭部及び弱化部とが別体になった構成のアンプル容器である。上記キャップは、口部内に連通する開口が形成された天壁部と、天壁部の外縁部から垂下されて口部の外側に周設された外筒部と、上記開口の上方に配設されたねじ切り頭部と、ねじ切り頭部の下端部と天壁部の上面との間に介在された薄肉部と、を備えている。このアンプル容器では、ねじ切り頭部をアンプル本体に対して相対的に回転させることで薄肉部がねじ切られ、アンプル本体が開封される。
【特許文献１】実開平５−１３４４１号公報
【特許文献２】特開２００３−１１６９６４号公報
【発明の開示】
【発明が解決しようとする課題】
【０００４】
しかしながら、上記した従来のアンプル容器では、開封時に内溶液の液ハネが生じ易いという問題がある。詳しく説明すると、頭部を容器本体に対して相対的に動かして弱化部を切断する際、容器本体内の内溶液の液面に揺れが生じ、容器本体内の内溶液が容器本体の肩部の内周面に沿って跳ね上がり、内溶液が口部から容器の外へ飛散する。
【０００５】
本発明は、上記した従来の問題が考慮されたものであり、開封時における内溶液の液ハネを防止することができるアンプル容器を提供することを目的としている。
【課題を解決するための手段】
【０００６】
本発明に係るアンプル容器は、内容液を収容した容器本体と、該容器本体の口部に装着されるキャップ体と、を備えており、該キャップ体が、前記口部内に連通する開口が形成された天壁部と、該天壁部から垂下されて前記口部の外側に周設された外筒部と、前記開口の上方に配設された頭部と、該頭部の下端に連設されて該頭部を前記容器本体に対して相対的に動かすことで切断可能な弱化部と、を有するアンプル容器において、前記キャップ体には、前記天壁部の下面から前記外筒部の中心軸線に沿って垂下されて前記開口に連通された内筒部が備えられ、該内筒部は、外周面の少なくとも一部が前記容器本体の内側面から内筒部径方向に離間された状態で前記口部の内側に配置され、前記キャップ体には、前記中心軸線に垂直な平面視における前記内筒部の内側に配設された遮壁部が備えられ、前記内筒部は周方向に複数に分割され、該内筒部を構成する複数の分割片は間隔をおいて環状に並設されており、前記遮壁部は、隣り合う前記分割片間の隙間の上方の位置に配設されていることを特徴としている。
【０００７】
このような特徴により、頭部を容器本体に対して相対的に動かして弱化部を切断する際、容器本体内の内溶液の液面に揺れが生じて内溶液が跳ね上がっても、その内溶液は内筒部によって遮られるので、天壁部の開口から容器本体の外へ内溶液が飛び出ることが防止される。
【０００９】
また、仮に、開封時に跳ね上がった内溶液が内筒部の内側に入り込んだ場合であっても、その内容液は遮壁部によって遮られるので、天壁部の開口から容器本体の外へ内溶液が飛び出ることが防止される。
【００１１】
さらに、アンプル容器を傾倒させて天壁部の開口から内溶液を注出する際、隣り合う分割片間の隙間から内溶液が流出するため、内筒部の外周部分に内溶液が溜まることが防止される。また、開封時に跳ね上がった内溶液が上記隙間から内筒部内に入っても、その内容液は遮壁部によって遮られるので、天壁部の開口から容器本体の外へ内溶液が飛び出ることが防止される。
【００１４】
また、本発明に係るアンプル容器は、前記遮壁部が、前記内筒部の内周面に突設されており、上方からの押圧に対して基端を固定端にして前記中心軸線方向に撓み変形可能であることが好ましい。
【００１５】
これにより、頭部を取り外してアンプル容器（容器本体）を開封させた後、ストローや注射針等を天壁部の開口からアンプル容器内に差し込む際、ストローや注射針等の先端によって遮壁部が下方に押圧され、当該遮壁部がその基端を固定端にして下方に撓み変形する。これにより、上記したストローや注射針等が容器本体内に挿入される。
【発明の効果】
【００１６】
本発明に係るアンプル容器によれば、容器本体内の内溶液の液面に揺れが生じて内溶液が跳ね上がっても、その内溶液は内筒部によって遮られるので、開封時における内溶液の液ハネを防止することができる。
【発明を実施するための最良の形態】
【００１７】
以下、本発明に係るアンプル容器の実施の形態について、図面に基いて説明する。
【００１８】
［第一の実施の形態］
まず、第一の実施の形態について図１に基いて説明する。
図１は本発明に係るアンプル容器の第一の実施の形態を示した縦半断面図である。
なお、本実施の形態では、容器本体２の口部２３側（図１における上側）を上方とし、その反対側（図１における下側）を下方とする。また、図１に示す鎖線Ｌはアンプル容器１の中心軸線であり、以下単に中心軸線Ｌと記す。
【００１９】
図１に示すように、アンプル容器１は、内容液Ｘを収容した容器本体２と、容器本体２の口部２３に装着されたキャップ体３と、を備えている。容器本体２及びキャップ体３は、それぞれ例えば合成樹脂やガラス等からなる部材であり、容器本体２にキャップ体３を組み付けることによりアンプル容器１が製作される。
【００２０】
容器本体２は、中心軸線Ｌに沿って延びる略円筒形状の胴部２０と、この胴部２０の下方に設けられて胴部２０の下端を閉塞する底部２１と、前記胴部２０の上端部に連設されているとともに胴部２０の上端から上方に向かうに従い漸次縮径された肩部２２と、この肩部２２の上方に配設された口部２３と、を備えている。口部２３の下端部の外周面には、口部２３の径方向の外側に突出した凸状の係止部２３ａが全周に亘って形成されている。なお、上記した胴部２０、肩部２２及び口部２３は、中心軸線Ｌを共通軸として同軸上に延設されており、底部２１は中心軸線Ｌに対して垂直に配設されている。
【００２１】
キャップ体３は、中心軸線Ｌに対して垂直に配設された天壁部３０と、天壁部３０の外縁部から垂下された外筒部３１と、天壁部３０の下面から垂下されて外筒部３１の内側に配設されたシール筒部３２と、天壁部３０の上方に起立された中空の頭部３３と、頭部３３の下端に連設された弱化部３４と、天壁部３０の下面から垂下されてシール筒部３２の内側に配設された直筒状の内筒部３５と、を備えている。
【００２２】
天壁部３０は、口部２３の上方に配設された円環状の板部であり、その中央部分には、口部２３内に連通する平面視円形の開口３０ａが形成されている。
外筒部３１は、略円筒形状の連続壁であり、口部２３の外側に周設されている。外筒部３１の下端部の内周面には、外筒部３１の径方向の内側に突出した係止部３１ａが全周に亘って形成されており、この係止部３１ａが、上記した口部２３の係止部２３ａに係止されることで、外筒部３１と口部２３とがアンダーカット嵌合されている。なお、外筒部３１の内周面に雌ねじが形成され、口部２３の外周面に雄ねじが形成され、外筒部３１と口部２３とがねじ嵌合されていてもよい。
シール筒部３２は、略円筒形状の連続壁であり、口部２３の内側に嵌合されている。このシール筒部３２の外周面は口部２３の内周面に液密に密接されている。
【００２３】
頭部３３は、中心軸線Ｌに沿って延びた筒状の部材であり、容器本体２の口部２３の開口端（上端）の上方に配設されている。詳しく説明すると、頭部３３は、中心軸線Ｌに対して垂直に配設された天壁部３３ａと、天壁部３３ａの外縁部から垂下された周壁部３３ｂと、を備えている。頭部３３の下端は天壁部３０の開口３０ａ内に向けて開放されており、上側から、頭部３３の内部、弱化部３４の内側、天壁部３０の開口３０ａ及び内筒部３５の内部の順で連通されている。頭部３３の上端は天壁部３３ａにより閉塞されており、この頭部３３によって容器本体２が密封されている。周壁部３３ｂの下部の外周面は下方に向かうに従い漸次拡径されている。
【００２４】
弱化部３４は、頭部３３の下端部と天壁部３０の内縁部（開口３０ａの外周部）との間に介在された環状の連結部であり、頭部３３等の他の部位よりも脆弱であって頭部３３を容器本体２に対して相対的に折り曲げる（傾倒させる）ことで切断可能になっている。具体的に説明すると、弱化部３４は、環状の薄肉部であり、その外周面に縦断面視略三角形状の切り込みが全周に亘って入れられた形状になっている。つまり、弱化部３４の外径は頭部３３の下端から下方に向かうに従い漸次縮径されており、弱化部３４の下端部が最も薄肉であって容易に切断可能になっている。
【００２５】
内筒部３５は、中心軸線Ｌに沿って延びた直円筒形状の連続壁であり、天壁部３０の内縁部（開口３０ａの外周部）から垂下されて口部２３の内側に配設されている。内筒部３５の両端はそれぞれ開放されており、内筒部３５の内部は、天壁部３０の開口３０ａに連通されているとともに容器本体２の内側に連通されている。内筒部３５の外径はシール筒部３２の内径よりも小さく、内筒部３５はシール筒部３２の内周面との間に間隔をあけて配設されている。つまり、内筒部３５の外周面は、容器本体２（肩部２２、口部２３）の内周面やシール筒部３２の内周面に対して口部２３の径方向に離間されている。また、内筒部３５は、口部２３の下端位置よりも下方へ延びており、内筒部３５の長さは、容器本体２内の内溶液Ｘの液面により近い方が好ましい。具体的には、内筒部３５は、肩部２２の下端位置付近まで延在されている。また、内筒部３５の下端部には、内筒部３５の下端から上方に延びた凹状の切り欠き部３５ａが形成されている。これにより、内筒部３５の下端が容器本体２内の内溶液Ｘの液面に触れた場合に、切り欠き部３５ａがエア抜き孔として機能する。
【００２６】
次に、上記した構成からなるアンプル容器１の作用について説明する。
【００２７】
アンプル容器１を開封する際、アンプル容器１を縦置きにした状態（口部２３が上向きになる状態）で、頭部３３を容器本体２に対して相対的に折り曲げる。例えば、一方の手で容器本体２の胴部２０を把持するとともに、他方の手で頭部３３の周壁部３３ｂを把持し、頭部３３を折り曲げる。これにより、弱化部３４が切断され、頭部３３が容器本体２や他のキャップ体３の部位から切り離される。このように頭部３３を切り離すことによって、天壁部３０の開口３０ａが開放され、アンプル容器１が開封される。
【００２８】
上記した開封時に、容器本体２内の内溶液Ｘの液面に揺れが生じ、容器本体２内の内溶液Ｘが肩部２２の内周面に沿って跳ね上がる場合があるが、内溶液Ｘが跳ね上がっても、その内溶液Ｘは内筒部３５によって遮られるので、天壁部３０の開口３０ａから容器本体２の外へ内溶液Ｘが飛び出ることが防止される。
特に、内筒部３５が口部２３の下端（肩部２２の上端）よりも下方の位置まで延在されているので、肩部２２の内周面に沿って跳ね上がった内溶液Ｘが内筒部３５の内側に入り難くい。
また、アンプル容器１が開封された後、アンプル容器１（容器本体２）を傾倒させて天壁部３０の開口３０ａから容器本体２内の内溶液Ｘを注出させる。なお、天壁部３０の開口３０ａから容器本体２内に図示せぬストローや注射針を挿入し、これらストローや注射針等によって容器本体２内の内溶液Ｘを吸い上げることも可能である。このとき、内筒部３５の内側にストローや注射針等が挿通される。
【００２９】
上記した構成からなるアンプル容器１によれば、肩部２２の内周面に沿って跳ね上がった内溶液Ｘが内筒部３５によって遮られるので、アンプル容器１の開封時における内溶液Ｘの液ハネを防止することができる。
特に、上記したアンプル容器１では、内筒部３５が口部２３の下端（肩部２２の上端）よりも下方の位置まで延在されており、肩部２２に沿って跳ね上がった内溶液Ｘが内筒部３５の内側に入り難くなっているため、内筒部３５によって内溶液Ｘの液ハネを確実に防止することができる。
【００３０】
［第二の実施の形態］
次に、第二の実施の形態について図２、図３に基いて説明する。
図２は本発明に係るアンプル容器の第二の実施の形態を示した縦断面図であり、図３はキャップ体１０３を下方から見た平面図である。
なお、上述した第一の実施の形態と同様の構成については同一符号を付して説明を省略する。
【００３１】
図２、図３に示すように、キャップ体１０３の天壁部３０に垂下された内筒部１３５は、口部２３の下端の位置（肩部２２の上端の位置）まで延びた直筒部であり、周方向に複数（本実施の形態では２つ）に分割されている。つまり、内筒部１３５は、複数（本実施の形態では２つ）の分割片１３６によって構成されている。内筒部１３５を構成する分割片１３６は、天壁部３０の内縁（開口３０ａの縁）に沿って湾曲された平面視円弧形状の壁部であり、天壁部３０の内縁部（開口３０ａの外周部）から垂設されている。複数の分割片１３６は、天壁部３０の開口３０ａを囲うように環状に配設されている。また、複数の分割片１３６は周方向に間隔をおいて配設されており、隣り合う分割片１３６間には、中心軸線Ｌ方向に延在する隙間Ｇが形成されている。
【００３２】
また、キャップ体１０３には、中心軸線Ｌに垂直な平面視における内筒部１３５の内側に配設された遮壁部１３７が備えられている。遮壁部１３７は、天壁部３０の開口３０ａの内周面から突出した略扇形状の板部であり、基端から先端側に向かうに従い漸次縮幅されている。また、遮壁部１３７は、天壁部３０の開口３０ａの内周面から中心軸線Ｌ側に向けて下向きに傾斜されている。また、遮壁部１３７は、分割片１３６間の隙間Ｇの上方の位置に配設されている。
【００３３】
次に、上記したキャップ体１０３を備えるアンプル容器１の作用について説明する。
【００３４】
アンプル容器１を開封する際に跳ね上がった内溶液Ｘが、万一、内筒部１３５の内側に入り込んだ場合であっても、その内容液Ｘは遮壁部１３７によって遮られるので、天壁部３０の開口３０ａから容器本体２の外へ内溶液Ｘが飛び出ることが防止される。具体的に説明すると、跳ね上がった内溶液Ｘが、分割片１３６間の隙間Ｇから内筒部１３５内に入っても、その内容液Ｘは、隙間Ｇの上方に配設された遮壁部１３７によって遮られる。
【００３５】
また、アンプル容器１（容器本体２）を傾倒させて天壁部３０の開口３０ａから容器本体２内の内溶液Ｘを注出させる際、分割片１３６間の隙間Ｇが内溶液Ｘの流路となり、この隙間Ｇから内溶液Ｘが流出する。仮に、内筒部１３５が連続壁からなると、アンプル容器１を傾倒させて内溶液Ｘを注出したときに、内筒部１３５の外周面とシール筒部３２の内周面との間に内溶液Ｘが溜まり、この溜まった分の内溶液Ｘはアンプル容器１内に残留することになるが、内筒部１３５が周方向に複数に分割されている場合には、上述したように隙間Ｇから内溶液Ｘが流出するため、内筒部１３５の外周部分に内溶液Ｘが溜まることが防止される。
【００３６】
なお、天壁部３０の開口３０ａから容器本体２内に図示せぬストローや注射針を挿入し、これらストローや注射針等によって容器本体２内の内溶液Ｘを吸い上げることも可能である。このとき、内筒部１３５の内側にストローや注射針等が挿通される。
【００３７】
上記した構成からなるアンプル容器１によれば、アンプル容器１を傾倒させて天壁部３０の開口３０ａから容器本体２内の内溶液Ｘを注出させる際、分割片１３６間の隙間Ｇから内溶液Ｘが流出するため、容器本体２内の内溶液Ｘを残さずに注出させることができ、内溶液Ｘの残量を低減させることができる。
【００３８】
また、アンプル容器１を開封する際、万一、跳ね上がった内溶液Ｘが内筒部１３５内に入り込んだとしても、その内容液Ｘは遮壁部１３７によって遮られるので、アンプル容器１の開封時における内溶液Ｘの液ハネをより確実に防止することができる。
特に、跳ね上がった内溶液Ｘが分割片１３６間の隙間Ｇから内筒部１３５内に入っても、その内容液Ｘは、隙間Ｇの上方に配設された遮壁部１３７によって遮られるので、アンプル容器１の開封時における内溶液Ｘの液ハネをより確実に防止することができる。
【００３９】
［第三の実施の形態］
次に、第三の実施の形態について図４、図５に基いて説明する。
図４は本発明に係るアンプル容器の第三の実施の形態を示した縦断面図であり、図５はキャップ体２０３を下方から見た平面図である。
なお、上述した第一、第二の実施の形態と同様の構成については同一符号を付して説明を省略する。
【００４０】
図４、図５に示すように、キャップ体２０３の天壁部３０に垂下された内筒部２３５は、口部２３の下端の位置（肩部２２の上端の位置）まで延びた直円筒形状の連続壁である。内筒部２３５の内側には、複数の遮壁部２３７が配設されている。遮壁部２３７は、天壁部３０の開口３０ａの内周面から内筒部２３５の径方向内側に向けて突出した略扇形状の板部であり、基端から先端側に向かうに従い漸次縮幅されている。複数の遮壁部２３７は、平面視において、内筒部２３５の周方向に並べて配設されている。具体的に説明すると、複数の遮壁部２３７は、平面視において間隔をあけて円環状に並設されている。また、複数の遮壁部２３７は、隣り合う遮壁部２３７同士の中心軸線Ｌ方向の位置をずらして段状に配設されている。具体的に説明すると、内筒部２３５の下端に設けられた下側の遮壁部２３７Ａと、内筒部２３５の下端よりも上方に設けられた上側の遮壁部２３７Ｂと、が周方向に交互に配設されている。
【００４１】
次に、上記したキャップ体２０３を備えるアンプル容器１の作用について説明する。
【００４２】
アンプル容器１を開封する際に跳ね上がった内溶液Ｘが、万一、内筒部２３５の内側に入り込んだ場合であっても、その内容液Ｘは遮壁部２３７によって遮られるので、天壁部３０の開口３０ａから容器本体２の外へ内溶液Ｘが飛び出ることが防止される。
また、アンプル容器１を傾倒させて天壁部３０の開口３０ａから内溶液Ｘを注出する際、内溶液Ｘが、段状に配設された遮壁部２３７の間を通って天壁部３０の開口３０ａの方へ流通する。このため、平面視において内筒部２３５の内側面積に対する複数の遮壁部２３７の占有面積が大きくても、天壁部３０の開口３０ａから内溶液Ｘを注出する際の内溶液Ｘの流路が確保される。
【００４３】
上記した構成からなるアンプル容器１によれば、内溶液Ｘを注出する際の内溶液Ｘの流路が確保されるので、内筒部２３５内における内溶液Ｘの流通性が良く、天壁部３０の開口３０ａから十分な量の内溶液Ｘを注出させることができる。また、平面視における複数の遮壁部２３７の占有面積を大きくすることができるので、アンプル容器１を開封した時の液ハネをより確実に防止することができる。
【００４４】
［第四の実施の形態］
次に、第四の実施の形態について図６、図７に基いて説明する。
図６は本発明に係るアンプル容器の第四の実施の形態を示した縦断面図であり、図７はキャップ体３０３を下方から見た平面図である。
なお、上述した第一から第三の実施の形態と同様の構成については同一符号を付して説明を省略する。
【００４５】
キャップ体３０３の内筒部２３５の内側には、中心軸線Ｌを挟んで対称に配設された一対のベンド板３３７Ａ（遮壁部）と、一対のベンド板３３７Ａの両側にそれぞれ配設された固定板３３７Ｂ（遮壁部）と、がそれぞれ設けられている。ベンド板３３７Ａは、中心軸線Ｌの垂直面に平行する略矩形の板部であり、内筒部２３５の内周面から内筒部２３５の径方向内側に向けて突設されている。このベンド板３３７Ａは、上方からの押圧に対して基端を固定端にして中心軸線Ｌ方向に撓み変形可能である。固定板３３７Ｂは、中心軸線Ｌの垂直面に平行する略半円形の板部であり、内筒部２３５の内周面に突設されている。両側の固定板３３７Ｂ同士は、間隔をあけて対向配置されており、両側の固定板３３７Ｂ間に一対のベンド板３３７Ａが配設されている。
【００４６】
次に、上記したキャップ体３０３を備えるアンプル容器１の作用について説明する。
【００４７】
アンプル容器１を開封する際に跳ね上がった内溶液Ｘが、万一、内筒部２３５の内側に入り込んだ場合であっても、その内容液Ｘはベンド板３３７Ａ及び固定板３３７Ｂによって遮られるので、天壁部３０の開口３０ａから容器本体２の外へ内溶液Ｘが飛び出ることが防止される。
また、頭部３３を取り外してアンプル容器１を開封させた後、図示せぬストローや注射針等を天壁部３０の開口３０ａからアンプル容器１内に差し込む際、ストローや注射針等の先端によってベンド板３３７Ａが下方に押圧され、ベンド板３３７Ａがその基端を固定端にして下方に撓み変形する。これにより、上記したストローや注射針等が容器本体２内に挿入される。
【００４８】
上記した構成からなるアンプル容器１によれば、ストローや注射針等の先端でベンド板３３７Ａを押圧することでベンド板３３７Ａが撓み変形するので、ストローや注射針等を容易に挿入させることができる。また、ストローや注射針等を挿入するための隙間（固定板３３７Ｂ間の隙間）にベンド板３３７Ａが配置されるので、当該隙間からの内溶液Ｘの飛び出しを防止することができ、アンプル容器１を開封した時の液ハネをより確実に防止することができる。
【００４９】
［第五の実施の形態］
次に、第五の実施の形態について図８、図９に基いて説明する。
図８は本発明に係るアンプル容器の第五の実施の形態を示した縦断面図であり、図９はキャップ体４０３を下方から見た平面図である。
なお、上述した第一から第四の実施の形態と同様の構成については同一符号を付して説明を省略する。
【００５０】
キャップ体４０３の内筒部２３５の内側には、複数の開口４３７ａが形成された遮壁部４３７が設けられている。遮壁部４３７は、内筒部２３５の内側全体に形成されており、中心軸線Ｌに対して垂直に設けられている。具体的に説明すると、遮壁部４３７は、複数の棒部４３７ｂが中心軸線Ｌを中心に内筒部２３５の径方向に放射状に延設された構成からなり、棒部４３７ｂの間に略三角形状の開口４３７ａが形成されている。
【００５１】
次に、上記したキャップ体４０３を備えるアンプル容器１の作用について説明する。
【００５２】
アンプル容器１を開封する際に跳ね上がった内溶液Ｘが、万一、内筒部２３５の内側に入り込んだ場合であっても、その内容液Ｘは遮壁部４３７によって遮られるので、天壁部３０の開口３０ａから容器本体２の外へ内溶液Ｘが飛び出ることが防止される。
また、アンプル容器１（容器本体２）を傾倒させて天壁部３０の開口３０ａから容器本体２内の内溶液Ｘを注出させる際、内溶液Ｘが遮壁部４３７の開口４３７ａを通って天壁部３０の開口３０ａの方へ流通する。
【００５３】
上記した構成からなるアンプル容器１によれば、内筒部２３５内における内溶液Ｘの流通性が良く、天壁部３０の開口３０ａから十分な量の内溶液Ｘを注出させることができるとともに、アンプル容器１を開封した時の液ハネを防止することができる。
【００５４】
以上、本発明に係るアンプル容器の実施の形態について説明したが、本発明は上記した実施の形態に限定されるものではなく、その趣旨を逸脱しない範囲で適宜変更可能である。
例えば、上記した第一の実施の形態では、内筒部３５が肩部２２の下端の位置まで延在されており、上記した第二から第五の実施の形態では、内筒部１３５，２３５が口部２３の下端の位置（肩部２２の上端の位置）まで延在されているが、本発明は、内筒部の中心軸線Ｌ方向の長さ寸法は適宜変更可能であり、内筒部が肩部２２の下端よりも下方に延びていてもよく、或いは、内筒部が口部の下端よりも上方の位置で止まっていてもよい。例えば、内筒部の下端位置がシール筒部３２の下端位置と略同じであってもよい。
【００５５】
また、上記した第二の実施の形態では、分割片１３６間の隙間Ｇの上方の位置に配設された遮壁部１３７が、天壁部３０の開口３０ａの内周面から中心軸線Ｌ側に向けて下向きに傾斜されているが、本発明は、分割片１３６間の隙間Ｇの上方の位置に配設された遮壁部が、天壁部３０の開口３０ａの内周面から垂直に突出されて中心軸線Ｌの垂直面と平行に配設されていてもよい。一方、上記した第三から第五の実施の形態では、遮壁部２３７やベンド板３３７Ａ、固定板３３７Ｂ、遮壁部４３７の棒部４３７ｂが中心軸線Ｌの垂直面と平行に配設されているが、本発明は、段状に配設された遮壁部が傾斜していてもよく、或いは、ベンド板や固定板が傾斜していてもよく、内筒部２３５の内側全体に形成された遮壁部の棒部が傾斜していてもよい。
【００５６】
また、上記した各実施の形態では、天壁部３０の内縁部（開口３０ａの外周部）から内筒部３５，１３５，２３５が垂下されているが、本発明は、天壁部３０の開口３０ａよりも径方向外側の天壁部３０下面から内筒部３５，１３５，２３５が垂下されていてもよい。
【００５７】
また、上記した各実施の形態では、内筒部３５，１３５，２３５が天壁部３０の内縁（開口３０ａの外周）に沿って形成されているが、本発明は、内筒部３５，１３５，２３５が天壁部３０の開口３０ａの外周に沿っていなくてもよい。例えば、平面視円形の開口３０ａに連通する角筒形状の内筒部が設けられていてもよい。
【００５８】
また、上記した実施の形態では、上方に向けて延びた筒形状の頭部３３が備えられているが、本発明は、頭部の形状は適宜変更可能である。例えば、中実柱状の頭部であってもよく、或いは、球状、板状、その他の形状の頭部であってもよい。
【００５９】
また、上記した実施の形態では、全周に亘って薄肉にした弱化部３４が形成されているが、本発明は、薄肉の弱化部３４に限定されるものではなく、頭部３３を容器本体２に対して相対的に動かすことで切断可能な弱化部であればよい。例えば、非貫通の切れ目を周方向に間欠的に形成した弱化部であってもよく、或いは、頭部３３や天壁部３０よりも脆弱な材料によって成形された弱化部であってもよく、或いは、頭部３３と天壁部３０とを別々に成形してこれらを溶着等で接合した構成にすることで、その接合部分を弱化部とすることも可能である。
【００６０】
また、上記した実施の形態では、頭部３３を容器本体２に対して相対的に折り曲げることで弱化部３４を切断しているが、本発明は、頭部３３を容器本体２に対して相対的に折り曲げることで切断される弱化部３４に限定するものではなく、他の動作によって切断される弱化部であってもよい。例えば、頭部３３を容器本体２に対して相対的に回転させることでねじ切られる弱化部であってもよい。
【００６１】
また、上記した実施の形態では、頭部３３の下端部と天壁部３０の内縁部との間に弱化部３４が介在されているが、本発明は、天壁部３０の内縁部に沿って筒状の立上り部が立設され、その立上り部の上端部と頭部３３の下端部との間に弱化部３４が介在された構成であってもよい。
【００６２】
また、上記した各実施の形態では、天壁部３０の下面に、口部２３の内側に嵌合されるシール筒部３２が垂下されているが、シール筒部３２が設けられていないキャップ体を用いることも可能である。
【００６３】
また、上記した各実施の形態では、口部２３の内側に配設されるシール筒部３２と内筒部３５，１３５，２３５とがそれぞれ備えられており、内筒部３５，１３５，２３５は、外周面全体が容器本体２の内側面から離間された状態になっているが、本発明は、シール筒部と内筒部とが兼用され、内筒部の外周面の一部が容器本体２の内側面から離間された構成にすることも可能である。具体的に説明すると、口部２３の内周面に密接するシール筒部を口部２３の下端よりも下方に延ばし、シール筒部の下部の外周面と肩部２２の内周面とを離間した状態で対向させる。これにより、アンプル容器１の開封時に跳ね上がった内溶液Ｘがシール筒部の下部によって遮られる。
【００６４】
その他、本発明の主旨を逸脱しない範囲で、上記した各実施の形態における構成要素を周知の構成要素に置き換えることは適宜可能であり、また、上記した各実施の形態や変形例を適宜組み合わせてもよい。例えば、第二、第三の実施の形態の遮壁部１３７，２３７が、第四の実施の形態におけるベンド板３３７Ａのように撓み変形可能になっていてもよく、或いは、第三から第五の実施の形態における内筒部２３５が第二の実施の形態における内筒部１３５のように周方向に複数に分割されていてもよい。
【図面の簡単な説明】
【００６５】
【図１】本発明の第一の実施の形態を説明するためのアンプル容器の縦半断面図である。
【図２】本発明の第二の実施の形態を説明するためのアンプル容器の縦断面図である。
【図３】本発明の第二の実施の形態を説明するためのキャップ体を下方から見た平面図である。
【図４】本発明の第三の実施の形態を説明するためのアンプル容器の縦断面図である。
【図５】本発明の第三の実施の形態を説明するためのキャップ体を下方から見た平面図である。
【図６】本発明の第四の実施の形態を説明するためのアンプル容器の縦断面図である。
【図７】本発明の第四の実施の形態を説明するためのキャップ体を下方から見た平面図である。
【図８】本発明の第五の実施の形態を説明するためのアンプル容器の縦断面図である。
【図９】本発明の第五の実施の形態を説明するためのキャップ体を下方から見た平面図である。
【符号の説明】
【００６６】
１  アンプル容器
２  容器本体
３、１０３、２０３、３０３、４０３  キャップ体
２３  口部
３３  頭部
３４  弱化部
３５、１３５、２３５  内筒部
１３６  分割片
１３７、２３７、４３７  遮壁部
３３７Ａ  ベンド板（遮壁部）
３３７Ｂ  固定板（遮壁部）
Ｇ  隙間
Ｌ  中心軸線
【図１】
0005103164.tif 000002
【図２】
0005103164.tif 000003
【図３】
0005103164.tif 000004
【図４】
0005103164.tif 000005
【図５】
0005103164.tif 000006
【図６】
0005103164.tif 000007
【図７】
0005103164.tif 000008
【図８】
0005103164.tif 000009
【図９】
0005103164.tif 000010